(57)【要約】      （修正有）【課題】止水面を水平にした止水ゲートの吊り上げ又は吊り下し作業が容易な吊り上げ装置を提供することを目的としている。【解決手段】本発明の吊り上げ装置１０は、ゲート本体の上端面に開口を設けて内部に吊金具７２を有し前記ゲート本体の止水面に沿って延出した平板状のガイドを有する止水ゲート７０と、ビーム本体２２の下端面から先端を下方に向けて垂下して前記吊金具７２に嵌め合うフック部３０を有するリフティングビーム２０と、を備え、前記フック部３０は、前記リフティングビーム２０の長手方向と直交する方向に沿って前記ビーム本体２２に配置した第１ピン２４の軸回りを回転可能なジョイント３２と、前記第１ピン２４の長手方向と直交する方向に沿って前記ジョイント３２に配置した第２ピン３４の軸周りを回転可能な吊フック４０を有することを特徴としている。【選択図】図１
2017149561.tif 000002
【特許請求の範囲】
【請求項１】
ゲート本体の上端面に開口を設けて内部に吊金具を有し前記ゲート本体の止水面に沿って前記開口の周縁から延出した平板状のガイドを有する止水ゲートと、
ビーム本体の下端面から先端を下方に向けて垂下して前記吊金具に嵌め合うフック部を有するリフティングビームと、を備え、
前記フック部は、前記リフティングビームの長手方向と直交する方向に沿って前記ビーム本体に配置した第１ピンの軸回りを回転可能なジョイントと、前記リフティングビームの長手方向に沿って前記ジョイントに配置した第２ピンの軸周りを回転可能な吊フックを有することを特徴とする吊り上げ装置。
【請求項２】
前記第１ピンの軸回りを前記フック部と共に回転自在なカウンターウェイトを設け、前記カウンターウェイトは、長手方向に沿った中心線と前記第１ピンを通る垂線との間の角度を任意に設定可能なことを特徴とする請求項１に記載の吊り上げ装置。
【請求項３】
前記吊フックは、前記第２ピンの軸心を通る垂線に対して少なくとも±９０度回転可能なことを特徴とする請求項１又は２に記載の吊り上げ装置。
【請求項４】
前記リフティングビームは、下端面に前記止水ゲートの上端面と接触するストッパーを設けたことを特徴とする請求項１ないし３のいずれか１項に記載の吊り上げ装置。
【発明の詳細な説明】
【技術分野】
【０００１】
本発明は止水ゲートを水路に着脱する作業に用いる吊り上げ装置に関する。
【背景技術】
【０００２】
工業用水の用水路又は発電所などの冷却水を取水するための水路には、除塵装置が設置されている。この除塵装置は、網状のスクリーンで水路中の塵芥を除去するものであり、海水や河川水路内に設置する構造上、貝や海藻が付着して付着面が隙間腐食したり、潮位変化する部分に特に腐食が発生しやすい。
【０００３】
このため、定期的に除塵装置の上流側の水路に水流を止める止水ゲートを設置して、除塵装置の保守点検又はメンテナンス作業を行っている。除塵装置を設置する水路は、一例として水路幅が４〜５ｍ、深さが１０ｍ程ある。このような水路に設置する止水ゲートは、止水面（止水ゲートを水路のゲート溝に設置したとき流路を遮断する面）に対して厚さ寸法が小さい平板形状であり、水路の深さ方向に複数分割して１枚当たりの重量を軽量化した構造を採用して着脱作業を容易にしている。
【０００４】
この止水ゲートを水路に取り付けるときは、止水ゲートの厚さ方向の端面に設けられた２個の吊金具にクレーンのフックを掛止してから吊り上げている。このとき専用の吊り上げビームを用いて、ビーム本体に設けた特殊なフックにより人手を介さないで着脱作業を行えるようにして吊り上げている。これにより止水ゲートを水路深くに投入した場合でも、水路内に人が立ち入ってフックを外す作業を行わずに、地上から容易に着脱できる。
【０００５】
従来、特許文献１に開示の角落し（止水ゲート）着脱装置は、吊金具に掛止するフック体に重錘取付部と係止部を設け、フック体の重心がフック体の回動中心の下方、かつ回動中心と係止部の凹部とを結ぶ直線よりも閉塞側に位置するようにフック体を構成している。そしてフック体の重錘を取り付けた場合の重心が前記直線より係止部の開放側に位置するように重錘取付部を形成している。これにより吊金具とフックの自動掛止が可能となる。
【０００６】
また同じような作業としてスクリーンを水路に着脱可能な特許文献２に開示の吊具は、吊具本体を降下させ荷物上の連結用バーと吊具本体の揺動アームの接触部とを接触させている。そしてフックを揺動支点まわりに回転させて連結用バーと揺動アームの接触部との接触が過ぎると重錘の作用により逆回転して、フックが連結バーに掛止して自動着脱を可能にしている。
【先行技術文献】
【特許文献】
【０００７】
【特許文献１】実開昭６４−１８０８６号公報
【特許文献２】特開平９−１５１０７１号公報
【発明の概要】
【発明が解決しようとする課題】
【０００８】
一般に保管状態の止水ゲートは、止水面を水平に積み重ねている。このような止水面を水平にして吊金具を設けた上端面が横向きになった止水ゲートは、吊金具の開口が側面に向いているため、従来のような吊り上げビームのフックを吊り下す作業だけでは掛止させることができない。このため、あらかじめ吊り上げクレーンを用いて止水ゲートを立てて、吊金具の開口を上面に向ける作業が必要となっていた。この止水ゲートを立てる作業は、別途吊り上げクレーンが必要となる。そしてクレーンと吊り上げビームとの連携作業により相互の張力バランスの調整が困難であった。また安全面においても避けるべき作業となっていた。
また特許文献１，２に開示の着脱装置又は吊具は、いずれも止水ゲートの止水面を水平にして上端面（止水ゲートの厚み方向にそった面）に設けた吊金具の開口が横向きの状態でフックを掛止することについて一切開示されていない。
【０００９】
そこで本発明は上記従来技術の問題点に鑑み、止水面を水平にして吊金具を設けた上端面が横向きになった止水ゲートの吊り上げ又は吊り下し作業が容易な吊り上げ装置を提供することを目的としている。
【課題を解決するための手段】
【００１０】
上記課題を解決するための第１の手段として、本発明は、ゲート本体の上端面に開口を設けて内部に吊金具を有し前記ゲート本体の止水面に沿って前記開口の周縁から延出した平板状のガイドを有する止水ゲートと、ビーム本体の下端面から先端を下方に向けて垂下して前記吊金具に嵌め合うフック部を有するリフティングビームと、を備え、前記フック部は、前記リフティングビームの長手方向と直交する方向に沿って前記ビーム本体に配置した第１ピンの軸回りを回転可能なジョイントと、前記リフティングビームの長手方向に沿って前記ジョイントに配置した第２ピンの軸周りを回転可能な吊フックを有することを特徴とする吊り上げ装置を提供することにある。
上記第１の手段によれば、止水面を水平にして上端面が横向きになった止水ゲートの上端面の吊金具の開口内に、ビーム本体の吊り下しのみでフックを挿入して吊金具に掛止することができるため、水平にした止水ゲートの着脱作業を容易に行うことができる。
【００１１】
上記課題を解決するための第２の手段として、本発明は、前記第１の手段において、前記第１ピンの軸回りを前記フック部と共に回転自在なカウンターウェイトを設け、前記カウンターウェイトは、長手方向に沿った中心線と前記第１ピンを通る垂線との間の角度を任意に設定可能なことを特徴とする吊り上げ装置を提供することにある。
上記第２の手段によれば、吊フックを吊金具に掛止する場合は吊フックが吊金具に近づく方向又は取り外す場合は吊フックが吊金具から離れる方向に付勢力を与えて、人手によらず作業を行うことができる。
【００１２】
上記課題を解決するための第３の手段として、本発明は、前記第１又は第２の手段において、前記吊フックは、前記第２ピンの軸心を通る垂線に対して少なくとも±９０度回転可能なことを特徴とする吊り上げ装置を提供することにある。
上記第３の手段によれば、吊フックの表裏面のどちら側にも配置した止水ゲートの吊金具を備えた開口に挿入することができる。
【００１３】
上記課題を解決するための第４の手段として、本発明は、前記第１ないし第３のいずれか１の手段において、前記リフティングビームは、下端面に前記止水ゲートの上端面と接触するストッパーを設けたことを特徴とする吊り上げ装置を提供することにある。
上記第４の手段によれば、ビーム本体の吊り下し作業中においてフック部が止水ゲートの上端面と接触して損傷することを防止できる。
【発明の効果】
【００１４】
本発明によれば、止水面を水平にして上端面が横向きになった止水ゲートの上端面の吊金具の開口内に、ビーム本体の上下移動でフックを挿入して吊金具に掛止することができるため、水平にした止水ゲートの吊り上げ作業を容易に行うことができる。
【図面の簡単な説明】
【００１５】
【図１】本発明の吊り上げ装置の正面図である。
【図２】本発明の吊り上げ装置の側面図である。
【図３】吊上げ装置の止水ゲートの説明図である。
【図４】本発明の吊り上げ装置を用いた止水ゲートの取り付け作業の説明図である。
【図５】本発明の吊り上げ装置を用いた止水ゲートの取り外し作業の説明図である。
【発明を実施するための形態】
【００１６】
本発明の吊り上げ装置の実施形態を添付の図面を参照しながら、以下詳細に説明する。
【００１７】
［吊り上げ装置１０］
図１は本発明の吊り上げ装置の正面図である。図２は本発明の吊り上げ装置の側面図である。
本発明の吊り上げ装置１０は、リフティングビーム２０と止水ゲート７０を主な構成要件としている。
【００１８】
［リフティングビーム２０］
リフティングビーム２０は、ビーム本体２２と、フック部３０と、ガイドローラ５０と、ストッパー６０を主な基本構成としている。
ビーム本体２２は、止水ゲート７０の上端面と対向して水路に設置するゲート溝間に挿入可能な平板状の部材である。ビーム本体２２は、上面に吊り上げクレーンのクレーンフック、ワイヤーなどと掛止する吊具２３を設けている。
【００１９】
フック部３０は、ビーム本体２２の下面から垂下して止水ゲート７０の吊金具７２と掛止する部材であり、ジョイント３２と吊フック４０とカウンターウェイト４５を有している。
ジョイント３２は、ビーム本体２２の幅方向（長手方向と直交する方向）にそって軸心をビーム本体２２に配置した第１ピン２４に軸支されている。吊り上げ装置の吊り上げ又は吊り下し方向をＸ軸とし、ビーム本体２２の長手方向をＹ軸とし、Ｘ軸及びＹ軸に直交する方向をＺ軸とした場合、ジョイント３２はＺ軸周りを揺動可能にしている。
【００２０】
吊フック４０はビーム本体２２の長手方向に沿って軸心をジョイント３２の先端に配置した第２ピン３４に軸支されている。吊フック４０は一端側が第２ピン３４に軸支されており、他端側を吊金具７２と掛止可能な釣針状に形成されている。この吊フック４０は、ビーム本体２２の長手方向に沿って配置された第２ピン３４の軸（Ｙ軸）回りを揺動可能にしている。また吊フック４０は第２ピン３４の軸心を通る垂線に対して少なくとも±９０度回転可能としている。これによりビーム本体２２を正面視して表裏のいずれ側にも吊フック４０を屈曲させることができる。
カウンターウェイト４５は、一端が第１ピン２４に軸支されており、他端側にウェイト部を設けている。カウンターウェイト４５は、第１ピン２４の軸（Ｚ軸）回りをジョイント３２と共に揺動可能にしている。そしてカウンターウェイト４５は、本体の長手方向に沿った中心線と第１ピン２４を通る垂線との間の角度を任意の設定角度に変更可能としている。
【００２１】
カウンターウェイト４５の設定角度は、掛止時において、第１ピン２４を通る垂線に対して吊フック４０が吊金具７２に掛止する側と反対側（ビーム本体２２の端部側）に傾く角度、一例として４５度に設定している。これにより、吊フック４０のフックポイントが吊金具７２に近づく方向に付勢することができる。
一方、取り外し時において、第１ピン２４を通る垂線に対して吊フック４０が吊金具７２に掛止する側と同じ側（ビーム本体２２の中心側）に傾く角度、一例として３０度に設定している。これにより、吊フック４０のフックポイントが吊金具７２から離れる方向に付勢することができる。
このようなフック部３０はビーム本体２２の中心の線対称となる位置、かつ止水ゲート７０の吊金具７２を通る垂線上に２つ取り付けている。
【００２２】
ガイドローラ５０は、ビーム本体２２の両端に設けたローラである。ガイドローラ５０は、ゲート溝の３面と対向する３面にローラを設けてあり、ゲート溝の３面に接触して水路の上下方向（Ｘ軸方向）に摺動する。
ストッパー６０は、ビーム本体２２の下面から長手方向と直交する方向に延出した部材である。ストッパー６０は、先端面が第２ピン３４とフックポイント（フック先端）の間に収まる長さに設定している。
【００２３】
［止水ゲート７０］
図３は吊上げ装置の止水ゲートの説明図である。止水ゲート７０は、水路のゲート溝間に挿入して水路を遮断する板状の部材である。
本実施形態の止水ゲート７０は、止水ゲートを水路のゲート溝に設置したとき流路を遮断する面を止水面とし、ゲートの厚み方向に沿った面を端面とする。止水ゲート７０の上端面には穴内部に吊金具７２を有する開口７４が設けられている。吊金具７２は、軸心を止水ゲート７０の幅方向に沿って配置された棒状の部材である。
また止水ゲート７０は、上端面にガイド７６を設けている。ガイド７６は、上端面の開口７４の周縁から上端面と直交する方向に延出した平板状の部材である。このようなガイド７６は主面と上端面の間のなす角度が直角となるように取り付けている。これにより止水ゲート７０の止水面が水平のときガイド７６の主面も水平となる。
【００２４】
［作用］
本発明の吊り上げ装置を用いた止水ゲートの吊り上げ及び吊り下し方法について以下説明する。
【００２５】
図４は本発明の吊り上げ装置を用いた止水ゲートの取り付け作業の説明図である。同図（１）〜（５）はいずれもフック部３０の正面図及び側面図を示している。
同図（１）に示すように、第１ピン２４を通る垂線に対して、カウンターウェイト４５を吊フック４０が吊金具７２に掛止する側と反対側（ビーム本体２２の端部側）に傾く角度、一例として４５度に設定する。
同図（２）に示すように、吊り上げ装置を降下させるとフック部３０の吊フック４０の先端が止水面を水平にした止水ゲート７０のガイド７６の上面と接触する。
【００２６】
同図（３）に示すように、さらに吊り上げ装置を降下させると、吊フック４０が第２ピン３４の軸回りを回転して、吊フック４０の先端がガイド７６の上面をスライドして止水ゲート７０の開口７４内へ挿入される。
同図（４）に示すように、吊フック４０の先端が吊金具７２に接触し、点線に示すように吊フック４０がゲート溝側へ押し出される。このとき吊フック４０はカウンターウェイト４５によりフックポイントが吊金具７２へ近づくように付勢されているため、吊金具７２がフックポイントを通り越えてフック内に収まる。そしてストッパー６０と止水ゲート７０が接触して降下が停止する。
同図（５）に示すように、吊り上げ装置を上昇させると吊フック４０に吊金具７２が掛止されて止水面を水平にした止水ゲート７０が立ち上がり、吊り上げることができる。
【００２７】
図５は本発明の吊り上げ装置を用いた止水ゲートの取り外し作業の説明図である。同図（１）〜（５）はいずれもフック部３０の正面図及び側面図を示している。
まず同図(１)に示すように、カウンターウェイト４５を吊フック４０が吊金具７２に掛止する側と反対側（ビーム本体２２の端部側）に傾く角度、一例として４５度に設定する。そして吊り上げ装置のリフティングビーム２０を水路内へ降下させる。上端面が上向きの止水ゲート７０の吊金具７２に吊フック４０を掛止させる。
同図（２）に示すように、第１ピン２４を通る垂線に対して、カウンターウェイト４５を吊フック４０が吊金具７２に掛止する側と同じ側（ビーム本体２２の中心側）に傾く角度、一例として３０度に設定する。そして、吊り上げ装置を上昇させて保管場所まで止水ゲートを移動させる。
【００２８】
同図（３）に示すように、保管場所において、止水ゲート７０の止水面が水平となるように降下させると、吊フック４０が第２ピン３４の軸回りを回転する。
同図（４）に示すように、吊フック４０と吊金具７２の掛止が解除されると、吊フック４０はカウンターウェイト４５によりフックポイントが吊金具７２から離れる方向に付勢されているため、点線に示す掛止状態から、実線に示すような解除状態となる。
同図（５）に示すように、吊り上げ装置を上昇させると吊フック４０が止水ゲート７０の開口から排出されて、止水ゲート７０から外すことができる。
以上、本発明の吊り上げ装置は、上端面が横向きの止水ゲートの着脱作業について説明したが、この他にも上端面が上面に面している止水ゲートの着脱作業であっても適用可能である。
【００２９】
このような本発明の吊り上げ装置によれば、止水面を水平にして上端面が横向きになった止水ゲートの上端面の吊金具の開口内に、ビーム本体の上下移動でフックを挿入して吊金具に掛止することができるため、水平にした止水ゲートの吊り上げ作業を容易に行うことができる。
【産業上の利用可能性】
【００３０】
本発明の吊り上げ装置は、ウィンチ、クレーンなどの吊り上げ手段により平板を吊り上げて運搬する分野において産業上利用することができる。
【符号の説明】
【００３１】
１０………吊り上げ装置、２０………リフティングビーム、２２………ビーム本体、２３………吊具、２４………第１ピン、３０………フック部、３２………ジョイント、３４………第２ピン、４０………吊フック、４５………カウンターウェイト、５０………ガイドローラ、６０………ストッパー、７０………止水ゲート、７２………吊金具、７４………開口、７６………ガイド。
【図１】
2017149561.tif 000003
【図２】
2017149561.tif 000004
【図３】
2017149561.tif 000005
【図４】
2017149561.tif 000006
【図５】
2017149561.tif 000007